(57)【要約】【課題】  穿刺角度設定範囲が大きく、穿刺針のがたつきを押さえた、超音波プローブ用穿刺ガイドブラケットを提供する。【解決手段】  穿刺中に針が超音波プローブの走査面(超音波断層像の面)から外れないように、針のガイド面が走査面と合致するように調整可能とした穿刺ガイドブラケットにおいて、ガイド面ががたつかないようにサポートを設けた。サポートを設けることにより、プローブ取り付け部に制約が出るが、プローブをスライドして取り付ける方法にすることにより解決した。また、このサポートは、穿刺角度の設定範囲が大きな穿刺ガイドブラケットにも対応できる構造としている。      【選択図】    図1
2009291387.tif 000002
【特許請求の範囲】
【請求項１】
超音波プローブに装着して、穿刺針の刺入方向をガイドするための穿刺ガイドブラケットであって、穿刺中に針が走査面から外れないように、針のガイド面が走査面と合致するように調整する手段を備えたとしたことを特徴とした穿刺ガイドブラケット。
【請求項２】
針のがたつきを低減するために、サポート部を設けたことを特徴とする請求項１記載の穿刺ガイドブラケット。
【請求項３】
超音波プローブへの取り付け部の構造を半スライド式にしたことを特徴とする請求項１記載の穿刺ガイドブラケット。
【発明の詳細な説明】
【技術分野】
【０００１】
本発明は、バイオプシ検査などに使用する穿刺ガイドブラケットと、穿刺針の刺入方向をガイドするための器具をはじめから具備する穿刺具に関する。
【背景技術】
【０００２】
バイオプシ検査は、診断部位に穿刺針を刺し込み身体内の器官から組織や体液を取り出し、これを診断などに用いるものである。この場合において、身体内の所定の組織などを採取する時に誤って別の場所に穿刺針を刺し込まないように、身体の所定区域の超音波断層像を映し出すと共に、穿刺針の刺入方向をガイドするための器具を穿刺ガイドブラケットに装着し、その穿刺ガイドブラケットを取り付けた超音波プローブを使用している(例えば、特許文献1)。
【０００３】
【特許文献１】特開2007-159803号公報
【発明の開示】
【発明が解決しようとする課題】
【０００４】
穿刺中に針が走査面から外れないように、針のガイド面が走査面と合致するように調整可能としたことを特徴とした穿刺ガイドブラケットまたは穿刺具はこれまで種々存在したが、複数の穿刺角度が設定可能な穿刺ガイドブラケットでその機能を実現するには、走査面合致調整機能と、穿刺角度設定機能を両立し、さらに走査面合致調整中または穿刺中に穿刺ガイドブラケットががたつかないようにする機能を設けなければならず、困難であった。
【０００５】
そこで本発明は、走査面合致調整機能と、穿刺角度設定機能を損なわなずに、穿刺ガイドブラケットがかたつかないようにすることを目的とする。
【課題を解決するための手段】
【０００６】
前記課題を解決するために、本発明は以下の様に構成される。穿刺中に針が走査面から外れないように、針のガイド面が走査面と合致するように調整可能とした穿刺ガイドブラケットにおいて、ガイド面ががたつかないようにサポートを設けた。サポートを設けることにより、プローブ取り付け部に制約が出るが、プローブをスライドして取り付ける方法にすることにより解決した。
【０００７】
すなわち、穿刺を超音波画像診断装置で監視する際に超音波プローブに装着して、穿刺針の刺入方向をガイドするための穿刺ガイドブラケットであって、該穿刺ガイドブラケットによって、複数の穿刺角度が設定可能で、穿刺中に針が走査面から外れないように、針のガイド面が走査面と合致するように調整可能としたことを特徴とした穿刺ガイドブラケットが提供される。
【発明の効果】
【０００８】
本発明によれば、走査面合致調整機能と、穿刺角度設定機能を損なわずに、穿刺ガイドブラケットがかたつかないようにすることができる。その結果、バイオプシ検査中に穿刺が不必要に動くことを防ぐことができ、安定した検査が可能となる。
【発明を実施するための最良の形態】
【０００９】
図1に本願発明の実施形態を示す。超音波プローブ201は超音波を送受信するプローブである。プローブ201の底面を被検体に接触させ、超音波を体内に送受信することにより、超音波像を表示させる。そして、検者は超音波像を見ながら穿刺位置を確認し、穿刺を行う。穿刺ガイドブラケット101は超音波プローブ201に着脱可能で、その先には、市販品である穿刺針の刺入方向をガイドするための器具301が取り付けられている。穿刺針の刺入方向をガイドするための器具301に穿刺針401を挿入し、穿刺を行う。
【００１０】
図2は、穿刺ガイドブラケット101、超音波プローブ201、穿刺針の刺入方向をガイドするための器具301、穿刺針401をそれぞれ取り外したときの図である。
【００１１】
図3は、本発明の穿刺ガイドブラケット101単体の図である。サポート102、穿刺角度設定用つまみ103、走査面合致用調整ねじ104、穿刺角度表示目盛105、プローブ固定ねじ106、プローブ突起と勘合する溝107、プローブ突起と勘合する穴108、穿刺針の刺入方向をガイドするための器具取付部109、穿刺角度設定用つまみ勘合穴110、穿刺角度設定用つまみ勘合穴が設けられたレール111から構成される。
【００１２】
図4は、穿刺ガイドブラケット101の穿刺角度設定用つまみ103で穿刺角度を設定している図である。穿刺角度設定用つまみ103を穿刺角度設定用つまみ勘合穴が設けられたレール111上の穿刺角度設定用つまみ勘合穴110に挿入し、穿刺角度501を設定する。設定された角度は、穿刺角度表示目盛105で確認できる。なお、目盛は(a−2)(b-2)のように数字で表示されたものもある。
【００１３】
図5は、穿刺ガイドブラケット101の走査面合致用調整ねじ104の図である。(a)で走査面合致用調整ねじ104を緩め左右に穿刺針の刺入方向をガイドするための器具取付部109を動かす。超音波像を見ながら穿刺針像の輝度が高くなった箇所で、走査面合致用調整ねじ104を締めると、針のガイド面が走査面701と合致したことを示す。
【００１４】
図6は、従来の穿刺ガイドブラケット801に、穿刺針の刺入方向をガイドするための器具109、穿刺針401を取付けた図である。
【００１５】
穿刺針の刺入方向をガイドするための器具取付部109が、穿刺ガイドブラケット801に対して、片持ちで固定されているため、稀に走査面合致調整中または穿刺中、針ががたつく力の方向1001に力が加わると、器具取付部109ががたつき、穿刺針の刺入方向をガイドするための器具301と穿刺針401ががたつく場合がある。
【００１６】
図7は、図6の問題を解決した本発明による穿刺ガイドブラケット101である。サポート102を設け、針ががたつく力の方向1001に力が加わっても、穿刺針の刺入方向をガイドするための器具取付部109ががたつかないようにした。
【００１７】
図8は、従来の穿刺ガイドブラケット801を、超音波プローブ201に取付けるときの図である。(a)のように、従来の穿刺ガイドブラケット801を開き、プローブ突起と勘合する穴108とプローブ突起202を勘合させて、(b)のように固定する。
【００１８】
図9は、穿刺ガイドブラケット101を、超音波プローブ201に取付けるときの図である。(a)で説明すると、穿刺ガイドブラケット101を開き、プローブ突起と勘合する溝107に1つのプローブ突起202をスライドして通す。さらに、穿刺ガイドブラケット101を閉じて、プローブ突起と勘合する穴108と、もう1つのプローブ突起202を勘合させて、(b)のように固定する。この構造により、サポート102を、穿刺ガイドブラケット101に設けることが可能となる。
【００１９】
図10は、図8とは別の従来の穿刺ガイドブラケット901である。本アタッチメントの穿刺角度は、44度〜60度まで可変であり、16度の可変領域を持っている。
【００２０】
一方、図8の従来の穿刺ガイドブラケット801は、の穿刺角度は、17度〜47度まで可変であり、30度の可変領域を持っている。可変領域が大きくなれば、穿刺角度設定用つまみ勘合穴が設けられたレール(図9における111)を伸ばさなければならない。
【００２１】
しかし、本図の従来の穿刺ガイドブラケット901でレールを延長部分902のように伸ばすと、穿刺角度501を0度に近づける(針を垂直に立てる方向に設定する)したとき、このレールが穿刺針401のルート上に重なり、穿刺針401が挿入できない。
【００２２】
この問題を解決するために、図1の穿刺ガイドブラケット101と図8の穿刺ガイドブラケット801では、穿刺角度設定用つまみ勘合穴が設けられたレール111の位置を変えているのだが、図10の従来の穿刺ガイドブラケット901の穿刺角度設定用つまみ勘合穴が設けられたレール111についていたサポート102も移動する必要があった。
【００２３】
このため、図1の本発明の本発明の穿刺ガイドブラケット101では、穿刺角度設定用つまみ勘合穴が設けられたレール111と反対側にサポート102を設けている。
なお、これらの技術は、走査面合致用調整機能のない穿刺ガイドブラケットや、穿刺針の刺入方向をガイドするための器具をはじめから具備する穿刺具にも適用可能である。
【図面の簡単な説明】
【００２４】
【図１】本発明の穿刺ガイドブラケットと、超音波プローブ、市販品である穿刺針の刺入方向をガイドするための器具、穿刺針の組合せ状態を示す図。
【図２】図1の構成品の分解図を示す図。
【図３】本発明の穿刺ガイドブラケットを示す図。
【図４】本発明の穿刺ガイドブラケットの穿刺角度表示目盛を示す図。
【図５】本発明の穿刺ガイドブラケットの走査面合致用調整ねじを示す図。
【図６】従来の穿刺ガイドブラケットと、市販品である穿刺針の刺入方向をガイドするための器具、穿刺針の組合せ状態を示す図。
【図７】本発明の穿刺ガイドブラケットと、市販品である穿刺針の刺入方向をガイドするための器具、穿刺針の組合せ状態を示す図。
【図８】従来の穿刺ガイドブラケットを超音波プローブに取付ける状態を示す図。
【図９】本発明の穿刺ガイドブラケットを超音波プローブに取付ける状態を示す図。
【図１０】別の従来の穿刺ガイドブラケットを示す図。
【符号の説明】
【００２５】
101  本発明の穿刺ガイドブラケット、102  サポート、103  穿刺角度設定用つまみ、104  走査面合致用調整ねじ、105  穿刺角度表示目盛、106  プローブ固定ねじ、107  プローブ突起と勘合する溝、108  プローブ突起と勘合する穴、109  穿刺針の刺入方向をガイドするための器具取付部、110  穿刺角度設定用つまみ勘合穴、111  穿刺角度設定用つまみ勘合穴が設けられたレール、201  超音波プローブ、202  プローブ突起、301  穿刺針の刺入方向をガイドするための器具(市販品)、401  穿刺針、601  走査面角度、701  走査面、801  従来の穿刺ガイドブラケット、901  別の従来の穿刺ガイドブラケット、902  穿刺角度設定用つまみ勘合穴が設けられたレール延長部分、1001  針ががたつく力が働く方向
【図１】
2009291387.tif 000003
【図２】
2009291387.tif 000004
【図３】
2009291387.tif 000005
【図４】
2009291387.tif 000006
【図５】
2009291387.tif 000007
【図６】
2009291387.tif 000008
【図７】
2009291387.tif 000009
【図８】
2009291387.tif 000010
【図９】
2009291387.tif 000011
【図１０】
2009291387.tif 000012